(57)【特許請求の範囲】
【請求項１】
ネットワーク側がユーザ機器ＵＥのためにスケジューリングするアンライセンスアップリンクキャリア数の能力が、ＵＥのアップリンクキャリアアグリゲーション能力がサポートするキャリア数より大きく、又は、ネットワーク側がＵＥのためにスケジューリングするアンライセンスアップリンクキャリア数の能力が、前記ＵＥのアップリンクキャリアアグリゲーション能力がサポートするキャリア数以下であるステップと、
スケジューリングされたアンライセンスアップリンクキャリアのスケジューリングパラメーターを前記ＵＥに通知するステップと
を含み、
前記ネットワーク側が前記ＵＥのためにスケジューリングしたアンライセンスアップリンクキャリア数の能力が、前記ＵＥのアップリンクキャリアアグリゲーション能力がサポートするキャリア数以下である場合に、前記ネットワーク側は、さらに、前記ＵＥにアップリンクデータ伝送に使用可能な候補アップリンクキャリアセットを通知する
アップリンクキャリア選択方法。
【請求項２】
前記ネットワーク側は、１つの制御シグナリングを使用して、前記ＵＥのために１つ又は複数のアンライセンスアップリンクキャリアをスケジューリングする
請求項１に記載のアップリンクキャリア選択方法。
【請求項３】
前記ネットワーク側は、さらに、前記候補アップリンクキャリアセット中のキャリアのスケジューリングパラメーターを前記ＵＥに通知し、
又は、前記ネットワーク側は、さらに、前記ＵＥのためにスケジューリングしたアンライセンスアップリンクキャリアと同じスケジューリングパラメーターを使用した前記候補アップリンクキャリアセット中のキャリアと当該前記ＵＥのためにスケジューリングしたアンライセンスアップリンクキャリアとの間の対応関係を前記ＵＥに通知する
請求項１に記載のアップリンクキャリア選択方法。
【請求項４】
前記候補アップリンクキャリアセット中のキャリアのスケジューリングパラメーターと、スケジューリングされたアンライセンスアップリンクキャリアのスケジューリングパラメーターとは同じであり、又は、前記候補アップリンクキャリアセット中の１つ又は複数のキャリアのスケジューリングパラメーターと、スケジューリングされた１つ又は複数のアンライセンスアップリンクキャリアのスケジューリングパラメーターとは同じである
請求項３に記載のアップリンクキャリア選択方法。
【請求項５】
前記ネットワーク側が前記ＵＥのためにスケジューリングするアンライセンスアップリンクキャリア数の能力が、前記ＵＥのアップリンクキャリアアグリゲーション能力がサポートするキャリア数以下であり、且つ、スケジューリングされたアンライセンスアップリンクキャリアのうちの使用可能なキャリア数が、前記ＵＥのアップリンクキャリアアグリゲーション能力より小さい場合に、前記ＵＥにより報告された前記ＵＥがセンスしたスケジューリングされていない他の空きキャリアのセンス結果、及び／又は使用されたキャリアのパラメーター状況を受信する
請求項１に記載のアップリンクキャリア選択方法。
【請求項６】
前記スケジューリングパラメーターは、
時間周波数リソース割り当てパラメーター、周波数ホッピング、変調及び符号化方式、冗長バージョン、物理アップリンク共有チャネルＰＵＳＣＨの送信電力制御ＴＰＣコマンドのうちの少なくとも１つのパラメーターを含む
請求項１〜５のいずれか１項に記載のアップリンクキャリア選択方法。
【請求項７】
ユーザ機器ＵＥが、ネットワーク側がＵＥのためにスケジューリングしたアンライセンスアップリンクキャリアのスケジューリングパラメーターを受信し、前記ＵＥが、通知されたアンライセンスアップリンクキャリアの中からアップリンクデータ伝送に使用可能なキャリアを選択するステップを含み、
ネットワーク側がＵＥのためにスケジューリングするアンライセンスアップリンクキャリア数の能力は、前記ＵＥのアップリンクキャリアアグリゲーション能力がサポートするキャリア数より大きく、又は、ネットワーク側がＵＥのためにスケジューリングするアンライセンスアップリンクキャリア数の能力は、前記ＵＥのアップリンクキャリアアグリゲーション能力がサポートするキャリア数以下であり、
ネットワーク側がＵＥのためにスケジューリングするアンライセンスアップリンクキャリア数の能力が、前記ＵＥのアップリンクキャリアアグリゲーション能力がサポートするキャリア数以下である場合に、前記ＵＥは、さらに、前記ネットワーク側が送信したアップリンクデータ伝送に使用可能な候補アップリンクキャリアセットを受信する
アップリンクキャリア選択方法。
【請求項８】
前記ネットワーク側は、１つの制御シグナリングを使用して、前記ＵＥのために１つ又は複数のアンライセンスアップリンクキャリアをスケジューリングする
請求項７に記載のアップリンクキャリア選択方法。
【請求項９】
前記候補アップリンクキャリアセット中のキャリアのスケジューリングパラメーターと、スケジューリングされたアンライセンスアップリンクキャリアのスケジューリングパラメーターとは同じであり、又は、前記候補アップリンクキャリアセット中の１つ又は複数のキャリアのスケジューリングパラメーターと、スケジューリングされた１つ又は複数のアンライセンスアップリンクキャリアのスケジューリングパラメーターとは同じである
請求項７に記載のアップリンクキャリア選択方法。
【請求項１０】
ネットワーク側がＵＥのためにスケジューリングするアンライセンスアップリンクキャリア数の能力が、前記ＵＥのアップリンクキャリアアグリゲーション能力がサポートするキャリア数以下であり、且つ、スケジューリングされたアンライセンスアップリンクキャリアのうちの使用可能なキャリア数が、前記ＵＥのアップリンクキャリアアグリゲーション能力より小さい場合に、前記ＵＥは、スケジューリングされていない他の空きキャリアに対してセンスを行い、センスされた空きキャリアの情報と、前記空きキャリアのスケジューリングパラメーターとを前記ネットワーク側に送信する
請求項７に記載のアップリンクキャリア選択方法。
【請求項１１】
前記ＵＥにより前記空きキャリアがセンスされてから前記ＵＥが空きキャリアを使用してアップリンクデータ伝送を行う前に、
前記ＵＥが前記空きキャリアで前記ネットワーク側に予約信号又は予約チャネルを送信するステップをさらに含み、前記予約信号又は予約チャネルは、アップリンク参照信号、アップリンク制御チャネル、制御情報、報知情報のうちの少なくとも１つの情報を含む
請求項１０に記載のアップリンクキャリア選択方法。
【請求項１２】
前記ＵＥは、ライセンスキャリア又はマスタサービングセルを介して、前記ネットワーク側に前記空きキャリアの情報と、前記空きキャリアのスケジューリングパラメーターの情報と、予約信号又は予約チャネルとを送信する
請求項１０に記載のアップリンクキャリア選択方法。
【請求項１３】
スケジューリングユニット及び通知ユニットを備えるネットワーク側ネットワークエレメントであって、
スケジューリングユニットは、ユーザ機器ＵＥのためにアンライセンスアップリンクキャリアをスケジューリングするように構成され、ネットワーク側ネットワークエレメントがＵＥのためにスケジューリングするアンライセンスアップリンクキャリア数の能力は、前記ＵＥのアップリンクキャリアアグリゲーション能力がサポートするキャリア数より大きく、又は、ネットワーク側ネットワークエレメントがＵＥのためにスケジューリングするアンライセンスアップリンクキャリア数の能力は、前記ＵＥのアップリンクキャリアアグリゲーション能力がサポートするキャリア数以下であり、
通知ユニットは、スケジューリングされたアンライセンスアップリンクキャリアのスケジューリングパラメーターを前記ＵＥに通知するように構成され、
前記ネットワーク側ネットワークエレメントがＵＥのためにスケジューリングするアンライセンスアップリンクキャリア数の能力が、前記ＵＥのアップリンクキャリアアグリゲーション能力がサポートするキャリア数以下である場合に、前記通知ユニットは、さらに、前記ＵＥにアップリンクデータ伝送に使用可能な候補アップリンクキャリアセットを通知するように構成される
ネットワークエレメント。
【請求項１４】
前記スケジューリングユニットは、１つの制御シグナリングを使用して、前記ＵＥのために１つ又は複数のアンライセンスアップリンクキャリアをスケジューリングする
請求項１３に記載のネットワークエレメント。
【請求項１５】
前記通知ユニットは、さらに、前記候補アップリンクキャリアセット中のキャリアのスケジューリングパラメーターを前記ＵＥに通知し、
又は、前記ＵＥのためにスケジューリングしたアンライセンスアップリンクキャリアと同じスケジューリングパラメーターを使用した前記候補アップリンクキャリアセット中のキャリアと当該前記ＵＥのためにスケジューリングしたアンライセンスアップリンクキャリアとの間の対応関係を前記ＵＥに通知するように構成される
請求項１３に記載のネットワークエレメント。
【請求項１６】
前記候補アップリンクキャリアセット中のキャリアのスケジューリングパラメーターと、スケジューリングされたアンライセンスアップリンクキャリアのスケジューリングパラメーターとは同じであり、又は、前記候補アップリンクキャリアセット中の１つ又は複数のキャリアのスケジューリングパラメーターと、スケジューリングされた１つ又は複数のアンライセンスアップリンクキャリアのスケジューリングパラメーターとは同じである
請求項１５に記載のネットワークエレメント。
【請求項１７】
受信ユニット及び指示ユニットをさらに備え、
受信ユニットは、ネットワーク側ネットワークエレメントがＵＥのためにスケジューリングしたアンライセンスアップリンクキャリア数の能力が、前記ＵＥのアップリンクキャリアアグリゲーション能力がサポートするキャリア数以下であり、且つ、スケジューリングされたアンライセンスアップリンクキャリアのうちの使用可能なキャリア数が、前記ＵＥのアップリンクキャリアアグリゲーション能力より小さい場合に、前記ＵＥにより報告された前記ＵＥがセンスしたスケジューリングされていない他の空きキャリアのスケジューリングパラメーターを受信するように構成され、
指示ユニットは、前記ＵＥが前記空きキャリアの中からアップリンクデータ伝送に使用可能なキャリアを選択するように指示するように構成される
請求項１３に記載のネットワークエレメント。
【請求項１８】
受信ユニット及び選択ユニットを備えるユーザ機器であって、
受信ユニットは、ネットワーク側が前記ユーザ機器のためにスケジューリングしたアンライセンスアップリンクキャリアのスケジューリングパラメーターを受信するように構成され、
選択ユニットは、通知されたアンライセンスアップリンクキャリアの中からアップリンクデータ伝送に使用可能なキャリアを選択するように構成され、ネットワーク側がＵＥのためにスケジューリングするアンライセンスアップリンクキャリア数の能力は、前記ＵＥのアップリンクキャリアアグリゲーション能力がサポートするキャリア数より大きく、又は、ネットワーク側がＵＥのためにスケジューリングするアンライセンスアップリンクキャリア数の能力は、前記ＵＥのアップリンクキャリアアグリゲーション能力がサポートするキャリア数以下であり、
ネットワーク側がＵＥのためにスケジューリングするアンライセンスアップリンクキャリア数の能力が、前記ＵＥのアップリンクキャリアアグリゲーション能力がサポートするキャリア数以下である場合に、前記受信ユニットは、さらに、前記ネットワーク側が送信したアップリンクデータ伝送に使用可能な候補アップリンクキャリアセットを受信するように構成され、
前記候補アップリンクキャリアセット中のキャリアのスケジューリングパラメーターと、スケジューリングされたアンライセンスアップリンクキャリアのスケジューリングパラメーターとは同じであり、又は、前記候補アップリンクキャリアセット中の１つ又は複数のキャリアのスケジューリングパラメーターと、スケジューリングされた１つ又は複数のアンライセンスアップリンクキャリアのスケジューリングパラメーターとは同じである
ユーザ機器。
【請求項１９】
前記ネットワーク側は、１つの制御シグナリングを使用して、前記ＵＥのために１つ又は複数のアンライセンスアップリンクキャリアをスケジューリングする
請求項１８に記載のユーザ機器。
【請求項２０】
センスユニット及び送信ユニットをさらに備え、
センスユニットは、ネットワーク側がＵＥのためにスケジューリングするアンライセンスアップリンクキャリア数の能力が、前記ＵＥのアップリンクキャリアアグリゲーション能力がサポートするキャリア数以下であり、且つ、スケジューリングされたアンライセンスアップリンクキャリアのうちの使用可能なキャリア数が、前記ＵＥのアップリンクキャリアアグリゲーション能力より小さい場合に、スケジューリングされていない他の空きキャリアに対してセンスを行うように構成され、
送信ユニットは、センスされた空きキャリアの情報と、前記空きキャリアのスケジューリングパラメーターとを前記ネットワーク側に送信するように構成される
請求項１８に記載のユーザ機器。
【請求項２１】
前記センスユニットにより前記空きキャリアがセンスされてから前記ユーザ機器が空きキャリアを使用してアップリンクデータ伝送を行う前に、前記送信ユニットは、さらに、前記空きキャリアで前記ネットワーク側に予約信号又は予約チャネルを送信するように構成され、前記予約信号又は予約チャネルは、アップリンク参照信号、アップリンク制御チャネル、制御情報、報知情報のうちの少なくとも１つの情報を含む
請求項２０に記載のユーザ機器。
【請求項２２】
前記送信ユニットは、ライセンスキャリア又はマスタサービングセルを介して、前記ネットワーク側に前記空きキャリアの情報と、前記空きキャリアのスケジューリングパラメーターの情報と、前記予約信号又は予約チャネルとを送信する
請求項２１に記載のユーザ機器。
【請求項２３】
コンピュータープログラムが記憶された記憶媒体であって、前記コンピュータープログラムは、請求項１〜１２のいずれか１項に記載のアップリンクキャリア選択方法を実行するように構成される
記憶媒体。
【発明の詳細な説明】
【技術分野】
【０００１】
本発明は、キャリア割り当て技術に関し、特にアップリンクキャリア選択方法、ネットワーク側ネットワークエレメント及びユーザ機器、記憶媒体に関する。
【背景技術】
【０００２】
ロングタームエボリューション（ＬＴＥ：Ｌｏｎｇ  Ｔｅｒｍ  Ｅｖｏｌｕｔｉｏｎ）システムにアンライセンスキャリア（ＬＴＥ−Ｕ：Ｌｏｎｇ  Ｔｅｒｍ  Ｅｖｏｌｕｔｉｏｎ-Ｕｎｌｉｃｅｎｓｅｄ）を使用することは、アンライセンスキャリア内でＬＴＥを配置することであって、ＬＴＥシステムのますます増加する容量の要求を満たし、アンライセンス周波数スペクトルの使用効率を向上させるために用いられ、ＬＴＥ及び将来の無線通信にとって１つの重要な進化方向である。ＬＴＥ−Ｕを設計するときには、どのようにしてワイファイ（ＷｉＦｉ：Ｗｉｒｅｌｅｓｓ  Ｆｉｄｅｌｉｔｙ）、レーダ等の異システム及びＬＴＥ−Ｕの同システムの間で公正でフレンドリーにアンライセンスキャリアを競合してデータ伝送を行うかを考慮する必要があり、それとともに、ＬＴＥ技術の特性をできるだけ影響せずに保持する必要がある。３ＧＰＰ標準化会議の発表によれば、ＬＴＥ−Ｕシステムは、ＬＴＥライセンスキャリア補助アクセス（ＬＡＡ：ＬＴＥ  Ｌｉｃｅｎｓｅｄ  Ａｓｓｉｓｔｅｄ  Ａｃｃｅｓｓ）システムと呼ばれることもある。
【０００３】
現在、ＬＡＡにアンライセンス周波数スペクトルを使用する方法として、周波数スペクトルアグリゲーション補完ダウンリンク（ＣＡ  ＳＤＬ：Ｃａｒｒｉｅｒ  Ａｇｇｒｅｇａｔｉｏｎ  Ｓｕｐｐｌｅｍｅｎｔａｌ  Ｄｏｗｎｌｉｎｋ）、周波数スペクトルアグリゲーション時分割複信（ＣＡ  ＴＤＤ：Ｃａｒｒｉｅｒ  Ａｇｇｒｅｇａｔｉｏｎ  Ｔｉｍｅ  Ｄｉｖｉｓｉｏｎ  Ｄｕｐｌｅｘ）、スタンドアロン（Ｓｔａｎｄａｌｏｎｅ）等がある。
【０００４】
５Ｇ周波数スペクトルは、豊かなアンライセンスキャリアリソースを有し、最大２４個の２０ＭＨｚの帯域幅のアンライセンスキャリアを使用することができる（具体的に使用可能なアンライセンスキャリア周波数帯域又は数は、異なる国／地域の規則要求によって決定される）。したがって、複数のアンライセンスキャリアシーンに対して、ＬＡＡアクセスポイント又はＵＥは、アンライセンスキャリアを使用する前に、複数のアンライセンスキャリアに対して走査及びセンスを行って、優先して１つ又は複数の負荷が比較的軽い又は最もクリアなアンライセンスキャリアを選択して自身に使用することができ、フレンドリーな共存の原則を確保するとともに、周波数スペクトルの使用効率を向上させる。
【０００５】
現在、ＣＡ能力を有するＵＥでは、ダウンリンクは５つのコンポーネントキャリアをアグリゲーションして同時に物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）を受信できるが、アップリンクアグリゲーションしてＰＵＳＣＨを同時に送信できるキャリア数又はアグリゲーション能力はダウンリンク以下であり、つまり、ＵＥ  ＵＬ  ＣＡ能力は、一般的に５つのコンポーネントキャリア以下である。現在、３ＧＰＰで５つのコンポーネントキャリアを超える（最大３１個のコンポーネントキャリアの）キャリアアグリゲーション強化について研究しているが、マルチコンポーネントキャリアアグリゲーションは、ベースバンド、特にＲＦの複雑さを増加させるため、ＵＥの設計複雑さが高くなりすぎるとともに、コストも増加される。
【０００６】
ＵＥにアップリンク送信要求がある場合に、ＵＥは、基地局が送信したアップリンクスケジューリンググラントに基づいて、スケジューリングされたキャリアに対してリッスンビフォートーク／クリアチャネル評価（ＬＢＴ／ＣＣＡ：Ｌｉｓｔｅｎ  ｂｅｆｏｒｅ  Ｔａｌｋ／Ｃｌｅａｒ  Ｃｈａｎｎｅｌ  Ａｓｓｅｓｓｍｅｎｔ）の操作を実行して、その中の１つ又は複数のアンライセンスキャリアを選択してデータ送信を行い、ＬＢＴを行うキャリアがいずれもビジー状態である場合には、一時的に送信できない。アップリンクスケジューリングライセンスは、ＵＥのアップリンクＣＡ能力によって制限され、例えば、ＵＥのアップリンクＣＡ能力は２であり、即ち、最大２つのコンポーネントキャリアをアグリゲーションしてＰＵＳＣＨを同時に送信できる場合、基地局又はＬＡＡアクセスポイントは最大２つのアンライセンスキャリアを同時にスケジューリングでき、それに応じて、ＵＥは、この２つのアンライセンスキャリアでＬＢＴ又はＣＣＡを行う。これにより、送信機会は大幅に減少される。したがって、ＵＥのアップリンク送信機会を向上させて、システム性能及びアンライセンス周波数スペクトルの使用効率を向上できる方法を提供する必要がある。
【発明の概要】
【発明が解決しようとする課題】
【０００７】
本発明は、上記の技術的問題を解決するために、アップリンクキャリア選択方法、ネットワーク側ネットワークエレメント及びユーザ機器、記憶媒体を提供する。
【課題を解決するための手段】
【０００８】
本発明が提供するアップリンクキャリア選択方法は、ネットワーク側がユーザ機器ＵＥのためにスケジューリングするアンライセンスアップリンクキャリア数の能力が、ＵＥのアップリンクキャリアアグリゲーション能力がサポートするキャリア数より大きく、又は、ネットワーク側がＵＥのためにスケジューリングするアンライセンスアップリンクキャリア数の能力が、前記ＵＥのアップリンクキャリアアグリゲーション能力がサポートするキャリア数以下であるステップと、スケジューリングされたアンライセンスアップリンクキャリアのスケジューリングパラメーターを前記ＵＥに通知するステップとを含む。
【０００９】
一実施形態として、前記ネットワーク側は、１つの制御シグナリングを使用して、前記ＵＥのために１つ又は複数のアンライセンスアップリンクキャリアをスケジューリングする。
【００１０】
一実施形態として、前記ネットワーク側が前記ＵＥのためにスケジューリングしたアンライセンスアップリンクキャリア数の能力が、前記ＵＥのアップリンクキャリアアグリゲーション能力がサポートするキャリア数以下である場合に、前記ネットワーク側は、さらに、前記ＵＥにアップリンクデータ伝送に使用可能な候補アップリンクキャリアセットを通知する。
【００１１】
一実施形態として、前記ＵＥが、優先してスケジューリングされたアンライセンスアップリンクキャリアの中からアップリンクデータ伝送に使用可能なキャリアを選択し、選択されたアップリンクキャリアが前記ＵＥのアップリンクキャリアアグリゲーション能力がサポートするキャリア数より小さい場合に、前記候補アップリンクキャリアセットからアップリンクデータ伝送に使用可能なキャリアを選択するように、前記ネットワーク側は、さらに、前記候補アップリンクキャリアセット中のキャリアのスケジューリングパラメーターを前記ＵＥに通知し、又は、前記ネットワーク側は、さらに、前記ＵＥのためにスケジューリングしたアンライセンスアップリンクキャリアと同じスケジューリングパラメーターを使用した前記候補アップリンクキャリアセット中のキャリアと当該前記ＵＥのためにスケジューリングしたアンライセンスアップリンクキャリアとの間の対応関係を前記ＵＥに通知する。
【００１２】
一実施形態として、前記候補アップリンクキャリアセット中のキャリアのスケジューリングパラメーターと、スケジューリングされたアンライセンスアップリンクキャリアのスケジューリングパラメーターとは同じであり、又は、前記候補アップリンクキャリアセット中の１つ又は複数のキャリアのスケジューリングパラメーターと、スケジューリングされた１つ又は複数のアンライセンスアップリンクキャリアのスケジューリングパラメーターとは同じである。
【００１３】
一実施形態として、前記ネットワーク側が前記ＵＥのためにスケジューリングするアンライセンスアップリンクキャリア数の能力が、前記ＵＥのアップリンクキャリアアグリゲーション能力がサポートするキャリア数以下であり、且つ、スケジューリングされたアンライセンスアップリンクキャリアのうちの使用可能なキャリア数が、前記ＵＥのアップリンクキャリアアグリゲーション能力より小さい場合に、前記ＵＥにより報告された前記ＵＥがセンスしたスケジューリングされていない他の空きキャリアのスケジューリングパラメーターを受信し、前記ＵＥが前記空きキャリアの中からアップリンクデータ伝送に使用可能なキャリアを選択するように指示する。
【００１４】
一実施形態として、前記スケジューリングパラメーターは、時間周波数リソース割り当てパラメーター、周波数ホッピング、変調及び符号化方式、冗長バージョン、物理アップリンク共有チャネルＰＵＳＣＨの送信電力制御ＴＰＣコマンドのうちの少なくとも１つのパラメーターを含む。
【００１５】
本発明が提供するアップリンクキャリア選択方法は、ユーザ機器ＵＥが、ネットワーク側がＵＥのためにスケジューリングしたアンライセンスアップリンクキャリアのスケジューリングパラメーターを受信し、前記ＵＥが、通知されたアンライセンスアップリンクキャリアの中からアップリンクデータ伝送に使用可能なキャリアを選択するステップを含み、ネットワーク側がＵＥのためにスケジューリングするアンライセンスアップリンクキャリア数の能力は、前記ＵＥのアップリンクキャリアアグリゲーション能力がサポートするキャリア数より大きく、又は、ネットワーク側がＵＥのためにスケジューリングするアンライセンスアップリンクキャリア数の能力は、前記ＵＥのアップリンクキャリアアグリゲーション能力がサポートするキャリア数以下である。
【００１６】
一実施形態として、前記ネットワーク側は、１つの制御シグナリングを使用して、前記ＵＥのために１つ又は複数のアンライセンスアップリンクキャリアをスケジューリングする。
【００１７】
一実施形態として、ネットワーク側がＵＥのためにスケジューリングするアンライセンスアップリンクキャリア数の能力が、前記ＵＥのアップリンクキャリアアグリゲーション能力がサポートするキャリア数以下である場合に、前記ＵＥは、さらに、前記ネットワーク側が送信したアップリンクデータ伝送に使用可能な候補アップリンクキャリアセットを受信する。
【００１８】
一実施形態として、前記ＵＥは、優先してスケジューリングされたアンライセンスアップリンクキャリアの中からアップリンクデータ伝送に使用可能なキャリアを選択し、選択されたアップリンクキャリアが前記ＵＥのアップリンクキャリアアグリゲーション能力がサポートするキャリア数より小さい場合に、前記候補アップリンクキャリアセットからアップリンクデータ伝送に使用可能なキャリアを選択する。
【００１９】
一実施形態として、前記候補アップリンクキャリアセット中のキャリアのスケジューリングパラメーターと、スケジューリングされたアンライセンスアップリンクキャリアのスケジューリングパラメーターとは同じであり、又は、前記候補アップリンクキャリアセット中の１つ又は複数のキャリアのスケジューリングパラメーターと、スケジューリングされた１つ又は複数のアンライセンスアップリンクキャリアのスケジューリングパラメーターとは同じである。
【００２０】
一実施形態として、ネットワーク側がＵＥのためにスケジューリングするアンライセンスアップリンクキャリア数の能力が、前記ＵＥのアップリンクキャリアアグリゲーション能力がサポートするキャリア数以下であり、且つ、スケジューリングされたアンライセンスアップリンクキャリアのうちの使用可能なキャリア数が、前記ＵＥのアップリンクキャリアアグリゲーション能力より小さい場合に、前記ＵＥは、スケジューリングされていない他の空きキャリアに対してセンスを行い、センスされた空きキャリアの情報と、前記空きキャリアのスケジューリングパラメーターとを前記ネットワーク側に送信する。
【００２１】
一実施形態として、前記ＵＥにより前記空きキャリアがセンスされてから前記ＵＥが空きキャリアを使用してアップリンクデータ伝送を行う前に、前記方法は、前記ＵＥが前記空きキャリアで前記ネットワーク側に予約信号又は予約チャネルを送信するステップをさらに含み、前記予約信号又は予約チャネルは、アップリンク参照信号、アップリンク制御チャネル、制御情報、報知情報のうちの少なくとも１つの情報を含む。
【００２２】
一実施形態として、前記ＵＥは、ライセンスキャリア又はマスタサービングセルを介して、前記ネットワーク側に前記空きキャリアの情報と、前記空きキャリアのスケジューリングパラメーターの情報と、予約信号又は予約チャネルとを送信する。
【００２３】
本発明が提供するネットワーク側ネットワークエレメントは、スケジューリングユニット及び通知ユニットを備え、スケジューリングユニットは、ユーザ機器ＵＥのためにアンライセンスアップリンクキャリアをスケジューリングするように構成され、ネットワーク側ネットワークエレメントがＵＥのためにスケジューリングするアンライセンスアップリンクキャリア数の能力は、前記ＵＥのアップリンクキャリアアグリゲーション能力がサポートするキャリア数より大きく、又は、ネットワーク側ネットワークエレメントがＵＥのためにスケジューリングするアンライセンスアップリンクキャリア数の能力は、前記ＵＥのアップリンクキャリアアグリゲーション能力がサポートするキャリア数以下であり、通知ユニットは、前記ＵＥが通知されたアンライセンスアップリンクキャリアの中からアップリンクデータ伝送に使用可能なキャリアを選択するように、スケジューリングされたアンライセンスアップリンクキャリアのスケジューリングパラメーターを前記ＵＥに通知するように構成される。
【００２４】
一実施形態として、ネットワーク側ネットワークエレメントがＵＥのためにスケジューリングするアンライセンスアップリンクキャリア数の能力が、前記ＵＥのアップリンクキャリアアグリゲーション能力がサポートするキャリア数以下である場合に、前記通知ユニットは、さらに、前記ＵＥにアップリンクデータ伝送に使用可能な候補アップリンクキャリアセットを通知するように構成される。
【００２５】
一実施形態として、前記ＵＥが、優先してスケジューリングされたアンライセンスアップリンクキャリアの中からアップリンクデータ伝送に使用可能なキャリアを選択し、選択されたアップリンクキャリアが前記ＵＥのアップリンクキャリアアグリゲーション能力がサポートするキャリア数より小さい場合に、前記候補アップリンクキャリアセットからアップリンクデータ伝送に使用可能なキャリアを選択するように、前記通知ユニットは、さらに、前記候補アップリンクキャリアセット中のキャリアのスケジューリングパラメーターを前記ＵＥに通知し、又は、前記ＵＥのためにスケジューリングしたアンライセンスアップリンクキャリアと同じスケジューリングパラメーターを使用した前記候補アップリンクキャリアセット中のキャリアと当該前記ＵＥのためにスケジューリングしたアンライセンスアップリンクキャリアとの間の対応関係を前記ＵＥに通知するように構成される。
【００２６】
一実施形態として、前記ネットワーク側ネットワークエレメントが前記ＵＥのためにスケジューリングしたアンライセンスアップリンクキャリアのうちの複数又は全部のキャリアのスケジューリングパラメーターは同じであり、前記候補アップリンクキャリアセット中のキャリアのスケジューリングパラメーターと、スケジューリングされたアンライセンスアップリンクキャリアのスケジューリングパラメーターとは同じであり、又は、前記候補アップリンクキャリアセット中の１つ又は複数のキャリアのスケジューリングパラメーターと、スケジューリングされた１つ又は複数のアンライセンスアップリンクキャリアのスケジューリングパラメーターとは同じである。
【００２７】
一実施形態として、前記ネットワークエレメントは、受信ユニット及び指示ユニットをさらに備え、受信ユニットは、ネットワーク側ネットワークエレメントがＵＥのためにスケジューリングしたアンライセンスアップリンクキャリア数の能力が、前記ＵＥのアップリンクキャリアアグリゲーション能力がサポートするキャリア数以下であり、且つ、スケジューリングされたアンライセンスアップリンクキャリアのうちの使用可能なキャリア数が、前記ＵＥのアップリンクキャリアアグリゲーション能力より小さい場合に、前記ＵＥにより報告された前記ＵＥがセンスしたスケジューリングされていない他の空きキャリアのスケジューリングパラメーターを受信するように構成され、指示ユニットは、前記ＵＥが前記空きキャリアの中からアップリンクデータ伝送に使用可能なキャリアを選択するように指示するように構成される。
【００２８】
本発明が提供するユーザ機器は、受信ユニット及び選択ユニットを備え、受信ユニットは、ネットワーク側が前記ユーザ機器のためにスケジューリングしたアンライセンスアップリンクキャリアのスケジューリングパラメーターを受信するように構成され、選択ユニットは、通知されたアンライセンスアップリンクキャリアの中からアップリンクデータ伝送に使用可能なキャリアを選択するように構成され、ネットワーク側がＵＥのためにスケジューリングするアンライセンスアップリンクキャリア数の能力は、前記ＵＥのアップリンクキャリアアグリゲーション能力がサポートするキャリア数より大きく、又は、ネットワーク側がＵＥのためにスケジューリングするアンライセンスアップリンクキャリア数の能力は、前記ＵＥのアップリンクキャリアアグリゲーション能力がサポートするキャリア数以下である。
【００２９】
一実施形態として、ネットワーク側がＵＥのためにスケジューリングするアンライセンスアップリンクキャリア数の能力が、前記ＵＥのアップリンクキャリアアグリゲーション能力がサポートするキャリア数以下である場合に、前記受信ユニットは、さらに、前記ネットワーク側が送信したアップリンクデータ伝送に使用可能な候補アップリンクキャリアセットと、前記候補アップリンクキャリアセット中のキャリアのスケジューリングパラメーターとを受信するように構成され、それに応じて、前記選択ユニットは、さらに、優先してスケジューリングされたアンライセンスアップリンクキャリアの中からアップリンクデータ伝送に使用可能なキャリアを選択し、選択されたアップリンクキャリアが前記ＵＥのアップリンクキャリアアグリゲーション能力がサポートするキャリア数より小さい場合に、前記候補アップリンクキャリアセットからアップリンクデータ伝送に使用可能なキャリアを選択するように構成される。
【００３０】
一実施形態として、前記候補アップリンクキャリアセット中のキャリアのスケジューリングパラメーターと、スケジューリングされたアンライセンスアップリンクキャリアのスケジューリングパラメーターとは同じであり、又は、前記候補アップリンクキャリアセット中の１つ又は複数のキャリアのスケジューリングパラメーターと、スケジューリングされた１つ又は複数のアンライセンスアップリンクキャリアのスケジューリングパラメーターとは同じである。
【００３１】
一実施形態として、前記ユーザ機器は、センスユニット及び送信ユニットをさらに備え、センスユニットは、ネットワーク側がＵＥのためにスケジューリングするアンライセンスアップリンクキャリア数の能力が、前記ＵＥのアップリンクキャリアアグリゲーション能力がサポートするキャリア数以下であり、且つ、スケジューリングされたアンライセンスアップリンクキャリアのうちの使用可能なキャリア数が、前記ＵＥのアップリンクキャリアアグリゲーション能力より小さい場合に、スケジューリングされていない他の空きキャリアに対してセンスを行うように構成され、送信ユニットは、リスニングされた空きキャリアの情報と、前記空きキャリアのスケジューリングパラメーターとを前記ネットワーク側に送信するように構成される。
【００３２】
一実施形態として、前記センスユニットにより前記空きキャリアがセンスされてから前記ユーザ機器が空きキャリアを使用してアップリンクデータ伝送を行う前に、前記送信ユニットは、さらに、前記空きキャリアで前記ネットワーク側に予約信号又は予約チャネルを送信するように構成され、前記予約信号又は予約チャネルは、アップリンク参照信号、アップリンク制御チャネル、制御情報、報知情報のうちの少なくとも１つの情報を含む。
【００３３】
一実施形態として、前記送信ユニットは、ライセンスキャリア又はマスタサービングセルを介して、前記ネットワーク側に前記空きキャリアの情報と、前記空きキャリアのスケジューリングパラメーターの情報と、前記予約信号又は予約チャネルとを送信する。
【００３４】
本発明が提供する記憶媒体には、コンピュータープログラムが記憶されており、前記コンピュータープログラムは、前記アップリンクキャリア選択方法を実行するように構成される。
【発明の効果】
【００３５】
本発明の技術手段によれば、ユーザ機器ＵＥがスケジューリングされたアンライセンスアップリンクキャリアの中からアップリンクデータ伝送に使用可能なキャリアを選択するように、ネットワーク側がＵＥのためにスケジューリングするアンライセンスアップリンクキャリア数の能力が、前記ＵＥのアップリンクキャリアアグリゲーション能力がサポートするキャリア数より大きく、又は、ネットワーク側がＵＥのためにスケジューリングするアンライセンスアップリンクキャリア数の能力が、前記ＵＥのアップリンクキャリアアグリゲーション能力がサポートするキャリア数以下である。ネットワーク側がＵＥのためにスケジューリングするアンライセンスアップリンクキャリア数の能力が、前記ＵＥのアップリンクキャリアアグリゲーション能力がサポートするキャリア数以下である場合、ＵＥがスケジューリングされたアンライセンスアップリンクキャリアの中からアップリンクデータ伝送に使用可能なキャリアを選択できないとき、ＵＥは、ネットワーク側から通知された候補キャリアセットの中からアップリンクデータ伝送に使用可能なキャリアを選択し、又は、現在センスしている空きキャリアの中からアップリンクデータ伝送に使用可能なキャリアを選択することによって、ＵＥのアップリンクデータ送信効率を向上させて、ＵＥができるだけ多くのアップリンクキャリアを選択してアップリンクデータ伝送を行うようにさせる。
【図面の簡単な説明】
【００３６】
【図１】本発明の実施例１のアップリンクキャリア選択方法のフローを示す図である。
【図２】本発明の実施例２のアップリンクキャリア選択方法のフローを示す図である。
【図３】本発明の実施例のネットワーク側ネットワークエレメントの構成を示す図である。
【図４】本発明の実施例のユーザ機器の構成を示す図である。
【発明を実施するための形態】
【００３７】
本発明の実施例の特徴及び技術内容がより詳細に理解されるために、以下、本発明の実施例の実現を図面を併せて詳細に説明し、添付の図面は参照しながら説明するためのものにすぎず、本発明の実施例を限定するものではない。
【００３８】
図１は、本発明の実施例１のアップリンクキャリア選択方法のフローを示す図であり、図１に示すように、本発明の実施例のアップリンクキャリア選択方法は、下記のステップを含む。
【００３９】
ステップ１０１：ネットワーク側がＵＥのためにアンライセンスアップリンクキャリアをスケジューリングする。
【００４０】
ここで、ネットワーク側がユーザ機器ＵＥのためにスケジューリングするアンライセンスアップリンクキャリア数の能力が、前記ＵＥのアップリンクキャリアアグリゲーション能力がサポートするキャリア数より大きく、又は、ネットワーク側がＵＥのためにスケジューリングするアンライセンスアップリンクキャリア数の能力が、前記ＵＥのアップリンクキャリアアグリゲーション能力がサポートするキャリア数以下である。
【００４１】
本発明の実施例では、ＵＥのアップリンクデータ伝送効率をより高めるために、ＵＥのためにできるだけ多くのアップリンクキャリアをスケジューリングして、ＵＥが対応するアップリンクキャリアを選択してキャリアアグリゲーションを行って、最大のキャリアアグリゲーション能力でアップリンクデータ伝送を行うようにさせる。
【００４２】
本発明の実施例では、ネットワーク側がユーザ機器ＵＥのためにスケジューリングするアンライセンスアップリンクキャリア数の能力が、前記ＵＥのアップリンクキャリアアグリゲーション能力がサポートするキャリア数より大きい場合に、前記ＵＥが通知されたアンライセンスアップリンクキャリアの中からアップリンクデータ伝送に使用可能なキャリア数が前記ＵＥのアップリンクキャリアアグリゲーション能力がサポートするキャリア数以下であるものを選択する。
【００４３】
ＵＥが最大のキャリアアグリゲーション能力でアップリンクキャリアアグリゲーションを行うようにさせるために、ＵＥのためにスケジューリングするアンライセンスアップリンクキャリア数が、ＵＥのアップリンクキャリアアグリゲーション能力がサポートする最大キャリア数より大きいことが好ましく、これにより、ＵＥが自身のキャリアアグリゲーション能力がサポートする最大キャリア数に等しいキャリアを選択してアップリンクキャリアアグリゲーションを行うようにさせることができ、アップリンクデータ伝送を行うキャリア数が最大値に達するようにさせて、アップリンクデータ伝送効率を向上させることができる。
【００４４】
本発明の実施例では、前記ネットワーク側が前記ＵＥのためにスケジューリングしたアンライセンスアップリンクキャリア数が、前記ＵＥのアップリンクキャリアアグリゲーション能力がサポートするキャリア数以下である場合に、前記ネットワーク側は、さらに、前記ＵＥにアップリンクデータ伝送に使用可能な候補アップリンクキャリアセットを通知し、前記ＵＥが、優先してスケジューリングされたアンライセンスアップリンクキャリアの中からアップリンクデータ伝送に使用可能なキャリアを選択し、選択されたアップリンクキャリアが前記ＵＥのアップリンクキャリアアグリゲーション能力がサポートするキャリア数より小さい場合に、前記候補アップリンクキャリアセットからアップリンクデータ伝送に使用可能なキャリアを選択するように、前記ネットワーク側は、さらに、前記候補アップリンクキャリアセット中のキャリアのスケジューリングパラメーターを前記ＵＥに通知し、又は、前記ネットワーク側は、さらに、前記ＵＥのためにスケジューリングしたアンライセンスアップリンクキャリアと同じスケジューリングパラメーターを使用した前記候補アップリンクキャリアセット中のキャリアと当該前記ＵＥのためにスケジューリングしたアンライセンスアップリンクキャリアとの間の対応関係を前記ＵＥに通知し、ここで、前記候補アップリンクキャリアセット中のキャリア数は、前記ＵＥのアップリンクキャリアアグリゲーション能力がサポートするキャリア数より大きく、又はそれ以下である。
【００４５】
ネットワーク側がＵＥのためにスケジューリングするアンライセンスアップリンクキャリア数の能力が、前記ＵＥのアップリンクキャリアアグリゲーション能力がサポートするキャリア数以下である場合、ＵＥがアップリンクデータ伝送を行うために選択したアンライセンスアップリンクキャリア数が、自身のアップリンクキャリアアグリゲーション能力がサポートする最大キャリア数より小さいことがあり、したがって、本発明の実施例では、ＵＥが選択したアップリンクアグリゲーションキャリア数が最大値に達していない場合に、候補アップリンクキャリアセットからアップリンクキャリアを選択するように、ネットワーク側は、さらに、ＵＥにアップリンクデータ伝送に使用可能な候補アップリンクキャリアセットを送信する。
【００４６】
本発明の実施例では、前記ネットワーク側は、１つの制御シグナリング又はスケジューリングシグナリングを使用して、前記ＵＥのために１つ又は複数のアンライセンスアップリンクキャリアをスケジューリングする。
【００４７】
前記候補アップリンクキャリアセット中のキャリアのスケジューリングパラメーターと、スケジューリングされたアンライセンスアップリンクキャリアのスケジューリングパラメーターとは同じであり、又は、前記候補アップリンクキャリアセット中の１つ又は複数のキャリアのスケジューリングパラメーターと、スケジューリングされた１つ又は複数のアンライセンスアップリンクキャリアのスケジューリングパラメーターとは同じである。
【００４８】
ネットワーク側とＵＥとの間のシグナリングインタラクションができるだけ少ないように、候補アップリンクキャリアセット中のキャリアのスケジューリングパラメーターが、できるだけ多くのスケジューリングされたアンライセンスアップリンクキャリアのスケジューリングパラメーターと同じであるようにさせることができ、これにより、ネットワーク側がスケジューリングされたアンライセンスアップリンクキャリアのスケジューリングパラメーターをＵＥに通知する際に、候補アップリンクキャリアセット中のキャリアのスケジューリングパラメーターもＵＥに通知したものに相当し、候補アップリンクキャリアセット中のキャリアに対して、別個にスケジューリングパラメーターの通知を行う必要がない。
【００４９】
本発明の実施例では、ネットワーク側がＵＥのためにスケジューリングするアンライセンスアップリンクキャリア数の能力が、前記ＵＥのアップリンクキャリアアグリゲーション能力がサポートするキャリア数以下であり、且つ、前記ＵＥがスケジューリングされたアンライセンスアップリンクキャリアの中からアップリンクデータ伝送に使用可能なキャリアを選択できない場合に、前記ＵＥにより報告された前記ＵＥがセンスしたスケジューリングされていない他の空きキャリアのスケジューリングパラメーターを受信し、前記ＵＥが前記空きキャリアの中からアップリンクデータ伝送に使用可能なキャリアを選択するように指示する。
【００５０】
本発明の実施例では、ネットワーク側が前記ＵＥのためにアンライセンスアップリンクキャリアをスケジューリングしたが、現在スケジューリングされたアンライセンスアップリンクキャリアがＵＥによりアップリンクデータ伝送のために使用できず、ネットワーク側もＵＥに候補アップリンクキャリアセットを通知していない場合に、ＵＥは、他の空きキャリアに対してセンスを行って、空きキャリアのセンス結果をネットワーク側に通知する必要があり、これにより、これらの空きキャリアを使用してアップリンクデータ伝送を行うことができ、ＵＥのアップリンクデータ伝送効率を向上させて、使用可能なキャリアリソースがない状況が発生されない。
【００５１】
ステップ１０２：スケジューリングされたアンライセンスアップリンクキャリアのスケジューリングパラメーターを前記ＵＥに通知する。
【００５２】
スケジューリングされたアンライセンスアップリンクキャリアのスケジューリングパラメーターを前記ＵＥに通知する目的は、前記ＵＥが通知されたアンライセンスアップリンクキャリアの中からアップリンクデータ伝送に使用可能なキャリアを選択するようにさせることにある。
【００５３】
本発明の実施例では、前記スケジューリングパラメーターは、時間周波数リソース割り当てパラメーター、周波数ホッピング、変調及び符号化方式、冗長バージョン、物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）の送信電力制御（ＴＰＣ：Ｔｒａｎｓｍｉｔ  Ｐｏｗｅｒ  Ｃｏｎｔｒｏｌ）コマンドのうちの少なくとも１つのパラメーターを含む。
【００５４】
本発明の実施例では、ネットワーク側は、ＵＥのためにスケジューリングしたアンライセンスアップリンクキャリアのスケジューリングパラメーターを当該ＵＥに通知してこそ、ＵＥが当該アンライセンスアップリンクキャリアを正確にセンスできることを確保でき、また、センスされた使用可能なアップリンクキャリアを使用してアップリンクキャリアアグリゲーションを行って、アップリンクデータ伝送を行うことができる。
【００５５】
本例のアップリンクキャリア選択方法は、ネットワーク側機器に用いられる。
【００５６】
図２は、本発明の実施例２のアップリンクキャリア選択方法のフローを示す図であり、図２に示すように、本例のアップリンクキャリア選択方法は、下記のステップを含む。
【００５７】
ステップ２０１：ＵＥが、ネットワーク側が前記ＵＥのためにスケジューリングしたアンライセンスアップリンクキャリアのスケジューリングパラメーターを受信する。
【００５８】
ここで、ネットワーク側がユーザ機器ＵＥのためにスケジューリングするアンライセンスアップリンクキャリア数の能力が、前記ＵＥのアップリンクキャリアアグリゲーション能力がサポートするキャリア数より大きく、又は、ネットワーク側がＵＥのためにスケジューリングするアンライセンスアップリンクキャリア数の能力が、前記ＵＥのアップリンクキャリアアグリゲーション能力がサポートするキャリア数以下である。
【００５９】
本発明の実施例では、ＵＥがアップリンクデータ伝送に使用可能なキャリアを選択して、アップリンクキャリアアグリゲーションを行うように、ネットワーク側は、ＵＥのためにアンライセンスアップリンクキャリアをスケジューリングし、スケジューリングされたアンライセンスアップリンクキャリアのスケジューリングパラメーターをＵＥに通知する。
【００６０】
ステップ２０２：ＵＥが通知されたアンライセンスアップリンクキャリアの中からアップリンクデータ伝送に使用可能なキャリアを選択する。
【００６１】
本発明の実施例では、ネットワーク側がユーザ機器ＵＥのためにスケジューリングするアンライセンスアップリンクキャリア数の能力が、前記ＵＥのアップリンクキャリアアグリゲーション能力がサポートするキャリア数より大きい場合に、前記ＵＥは、通知されたアンライセンスアップリンクキャリアの中からアップリンクデータ伝送に使用可能なキャリア数が前記ＵＥのアップリンクキャリアアグリゲーション能力がサポートするキャリア数以下であるものを選択する。
【００６２】
ネットワーク側がＵＥにアンライセンスアップリンクキャリアのみを通知した場合、ＵＥは、通知されたアンライセンスアップリンクキャリアの中からアップリンクデータ伝送に使用可能なキャリアを選択し、もちろん、通知されたアンライセンスアップリンクキャリアのスケジューリング数は、ＵＥのアップリンクキャリアアグリゲーション能力がサポートする最大キャリア数より大きいが、ＵＥは、前記ＵＥのアップリンクキャリアアグリゲーション能力がサポートするキャリア数以下であるアンライセンスアップリンクキャリアのみを選択できる。
【００６３】
本発明の実施例では、ネットワーク側がＵＥのためにスケジューリングするアンライセンスアップリンクキャリア数の能力が、前記ＵＥのアップリンクキャリアアグリゲーション能力がサポートするキャリア数以下である場合に、前記ＵＥは、さらに、前記ネットワーク側が送信したアップリンクデータ伝送に使用可能な候補アップリンクキャリアセットと、前記候補アップリンクキャリアセット中のキャリアのスケジューリングパラメーターとを受信し、前記ＵＥは、スケジューリングパラメーターに基づいて、優先してスケジューリングされたアンライセンスアップリンクキャリアの中からアップリンクデータ伝送に使用可能なキャリアを選択し、選択されたアップリンクキャリアが前記ＵＥのアップリンクキャリアアグリゲーション能力がサポートするキャリア数より小さい場合に、前記候補アップリンクキャリアセットからアップリンクデータ伝送に使用可能なキャリアを選択し、ここで、前記候補アップリンクキャリアセット中のキャリア数は、前記ＵＥのアップリンクキャリアアグリゲーション能力がサポートするキャリア数より大きく、又はそれ以下である。
【００６４】
ＵＥのアップリンクデータ伝送効率を確保するために、ネットワーク側がＵＥのためにスケジューリングしたアンライセンスアップリンクキャリア数が、ＵＥのアップリンクキャリアアグリゲーション能力がサポートする最大キャリア数以下である場合に、ＵＥが候補アップリンクキャリアセットからキャリアを選択してアップリンクデータ伝送を行うように、ネットワーク側は、ＵＥにアップリンクデータ伝送に使用可能な候補アップリンクキャリアセットを送信することができる。
【００６５】
本発明の実施例では、前記ネットワーク側は、１つの制御シグナリング又はスケジューリングシグナリングを使用して、前記ＵＥのために１つ又は複数のアンライセンスアップリンクキャリアをスケジューリングし、前記候補アップリンクキャリアセット中のキャリアのスケジューリングパラメーターと、スケジューリングされたアンライセンスアップリンクキャリアのスケジューリングパラメーターとは同じであり、又は、前記候補アップリンクキャリアセット中の１つ又は複数のキャリアのスケジューリングパラメーターと、スケジューリングされた１つ又は複数のアンライセンスアップリンクキャリアのスケジューリングパラメーターとは同じである。
【００６６】
本発明の実施例では、ネットワーク側がＵＥのためにスケジューリングするアンライセンスアップリンクキャリア数の能力が、前記ＵＥのアップリンクキャリアアグリゲーション能力がサポートするキャリア数以下であり、且つ、前記ＵＥがスケジューリングパラメーターに基づいて、スケジューリングされたアンライセンスアップリンクキャリアの中からアップリンクデータ伝送に使用可能なキャリアを選択できない場合に、前記ＵＥは、スケジューリングされていない他の空きキャリアに対してセンスを行い、センスされた空きキャリアの情報と、前記空きキャリアのスケジューリングパラメーターとを前記ネットワーク側に送信する。
【００６７】
本発明の実施例では、ネットワーク側がＵＥに通知するアンライセンスアップリンクキャリア数が比較的少なく、且つ、ＵＥに候補アップリンクキャリアセットをも通知していない場合、ＵＥは、アップリンクデータ伝送に使用可能なキャリアが存在するか否かを検出するように、他の空きキャリアをセンスする。
【００６８】
本発明の実施例では、前記ＵＥにより前記空きキャリアがセンスされてから前記ＵＥが空きキャリアを使用してアップリンクデータ伝送を行う前に、前記方法は、前記ＵＥが前記空きキャリアで前記ネットワーク側に予約信号又は予約チャネルを送信するステップをさらに含み、前記予約信号又は予約チャネルは、アップリンク参照信号、アップリンク制御チャネル、制御情報、報知情報のうちの少なくとも１つの情報を含む。
【００６９】
本発明の実施例では、具体的に、前記ＵＥは、ライセンスキャリア又はマスタサービングセルを介して、前記ネットワーク側に前記空きキャリアの情報と、前記空きキャリアのスケジューリングパラメーターの情報と、前記予約信号又は予約チャネルとを送信する。
【００７０】
本発明の実施例では、前記スケジューリングパラメーターは、時間周波数リソース割り当てパラメーター、周波数ホッピング、変調及び符号化方式、冗長バージョン、物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）の送信電力制御（ＴＰＣ：Ｔｒａｎｓｍｉｔ  Ｐｏｗｅｒ  Ｃｏｎｔｒｏｌ）コマンドのうちの少なくとも１つのパラメーターを含む。
【００７１】
本例のアップリンクキャリア選択方法は、ユーザ機器に用いられる。
【００７２】
以下、具体的な例を介して、本発明の技術手段の実態をさらに説明する。
【００７３】
例１
基地局がスケジューリングしたアップリンクキャリア数は、ＵＥのアップリンクキャリアアグリゲーション（ＣＡ：Ｃａｒｒｉｅｒ  Ａｇｇｒｅｇａｔｉｏｎ）能力より大きくてもよく、即ち、ＵＥがアグリゲーションしてＰＵＳＣＨを同時に送信できる最大キャリア数より大きくてもよい。もちろん、基地局がスケジューリングしたアップリンクキャリア数は、ＵＥのアップリンクＣＡ能力以下であってもよい。しかし、一般的には、アンライセンス周波数スペクトルにおけるＵＥのアップリンク送信機会を増加し、システム性能を向上させるために、アップリンクキャリアをスケジューリングする数がＵＥのアップリンクＣＡ能力より大きく、又は、少なくともそれに等しいことが好ましい。
【００７４】
ＵＥは、基地局が送信したスケジューリンググラントを受信した後に、基地局がスケジューリングした各アップリンクキャリアに対してセンスを行い、センス又はキャリア選択結果に基づいて、その中のｎ個のキャリアを選択して送信する。ただし、ｎ≦ＣＵＬであり、ＣＵＬは、ＵＥがアグリゲーションしてＰＵＳＣＨを送信できる最大キャリア数である。
【００７５】
アップリンクスケジューリンググラントを送信するダウンリンクシグナリングオーバーヘッドを低減させるために、スケジューリングされた各アップリンクキャリアのスケジューリンググラントパラメーターを制限することができる。アップリンクスケジューリンググラントパラメーターは、時間周波数リソース割り当て、及び／又は周波数ホッピング、及び／又は変調及び符号化方式、及び／又は冗長バージョン、ＰＵＳＣＨをスケジューリングするＴＰＣコマンド等を含んでもよい。例えば、アップリンクキャリアスケジューリングセットのうちのいくつか又は全部のアンライセンスキャリアが同じスケジューリングパラメーターを使用するように制限してもよく、この場合、基地局は、いくつかのセット又は１セットのスケジューリングパラメーターを送信すればよい。
【００７６】
本例のアップリンクキャリア数方法は、下記のステップを含む。
【００７７】
ステップ１：基地局が長時間のエネルギー検出又はキャリア感知に基づいて選択を行い、又は、基地局が直接に１つ又は複数のアンライセンスキャリアをアップリンク送信候補キャリアとして設定する。
【００７８】
例えば、基地局が使用可能な最大アンライセンスキャリア数がＮ１である。このＮ１個のアンライセンスキャリアのセットがＳｅｔＡである。ＳｅｔＡ中の各キャリアの周波数帯域及び数は、国又は地域規則、又はオペレータ割り当て、又は機器サポート能力等の要因によって決定される。基地局は、長時間のエネルギー検出、キャリア感知に基づいて、セットＳｅｔＡから１つ又は複数のアンライセンスキャリアを選択してアップリンク（又はダウンリンク）送信候補キャリアセットＳｅｔＢとする。ＳｅｔＢは、Ｎ２個のアンライセンスキャリアを含む。選択する要因は、ＳｅｔＡ中の各キャリアの負荷状態、干渉状態及び占有状態等を含んでもよい。ただし、Ｎ２≦Ｎ１である。
【００７９】
又は、基地局は、長時間検出及び感知によらず、直接にＳｅｔＡ中のＮ１個のアンライセンスキャリアをすべてアップリンク送信候補キャリアとして設定してもよい。即ち、Ｎ２＝Ｎ１である。又は、基地局は、長時間検出及び感知によらず、現在のキャリア状態に基づいて、直接にＳｅｔＡ中の一部のアンライセンスキャリアをアップリンク送信候補キャリアとして設定してもよい。即ち、Ｎ２＜Ｎ１である。
【００８０】
又は、ステップ１と下記のステップ２とを１つのステップとして組み合わせてもよく、基地局は、また、ステップ１で生成したキャリアセット中のキャリアを直接にアップリンクキャリアとしてスケジューリングしてもよく、つまり、アップリンク送信候補キャリアセットＳｅｔＢが即ちステップ２におけるアップリンクキャリアスケジューリングセットである。
【００８１】
ステップ２：アップリンク伝送要求があり、又はＵＥのアップリンクスケジューリング要求を受信した場合に、基地局は、スケジューリンググラントをＵＥに送信する。スケジューリングしたアップリンクキャリア数は、ＵＥのアップリンクＣＡアグリゲーション能力より大きくてもよく、又は、ＵＥのアップリンクＣＡアグリゲーション能力以下であってもよい。
【００８２】
ＵＥのダウンリンクＣＡ能力がＣＤＬであって、アップリンクＣＡ能力がＣＵＬであるものとする。また、基地局が送信するアップリンクキャリアスケジューリングセットがＳｅｔＣであるものとし（基地局は、必ずとしてスケジューリングセットＳｅｔＣを直接に送信する必要はなく、基地局は、アップリンクスケジューリンググラントを送信してもよく、アップリンクスケジューリンググラント中のこれらのスケジューリングされたキャリアは、ＳｅｔＣを組むことができる）、ＳｅｔＣは、Ｎ３個のアンライセンスキャリアを含む。ただし、Ｎ３≦Ｎ２である。
【００８３】
基地局は、また、ステップ１で生成したキャリアセット中のキャリアを直接にアップリンクキャリアとしてスケジューリングしてもよく、即ち、ステップ１とステップ２とを１つのステップに組み合わせてもよい。ここで、２つの意味があり、その１は、基地局が現在のキャリア状態に基づいて直接にＳｅｔＡ中の全部又は一部のキャリアをアップリンク送信キャリアとしてスケジューリングすることである。その２は、基地局が長時間のエネルギー検出又はキャリア感知によって選択して、１つの候補キャリアセットＳｅｔＢを取得することであって、このキャリアセットが即ちアップリンクキャリアスケジューリングセットのＳｅｔＣである。
【００８４】
又は、基地局は、また、現在の各キャリアの負荷又は干渉等の状態に基づいて、セットＳｅｔＢの中で再度キャリア選別を行って、その中の１つ又は複数のキャリアをスケジューリングキャリアとして選択してもよい。基地局が送信するアップリンクキャリアスケジューリングセットがＳｅｔＣであるものとし、ＳｅｔＣは、Ｎ３個のアンライセンスキャリアを含む。ただし、Ｎ３≦Ｎ２である。
【００８５】
アップリンクキャリアをスケジューリングする数Ｎ３は、ＣＵＬ以上であってもよく、又は、ＣＵＬより小さくてもよい。一般的には、ＵＥのアップリンク送信機会を増加させ、及びシステム性能を向上させるために、アップリンクキャリアをスケジューリングする数Ｎ３は、ＵＥのアップリンクＣＡ能力以上であるものが好ましい。基地局が初期に使用可能なアンライセンスキャリア数が比較的少なく、又は大部分のキャリアの負荷又は干渉が比較的厳しい場合のみに、Ｎ３がＣＵＬより小さい。
【００８６】
アップリンクスケジューリンググラントを送信するダウンリンクシグナリングオーバーヘッドを低減させるために、スケジューリングされる各アップリンクキャリアのスケジューリンググラントパラメーターを制限してもよい。アップリンクスケジューリンググラントパラメーターは、時間周波数リソース割り当て、及び／又は周波数ホッピング、及び／又は変調及び符号化方式、及び／又は冗長バージョン、ＰＵＳＣＨをスケジューリングするＴＰＣコマンド等を含んでもよい。
【００８７】
例えば、アップリンクキャリアスケジューリングセット中のいくつか又は全部のアンライセンスキャリアが同じスケジューリングパラメーターを使用し、ネットワーク側が１つのスケジューリングシグナリング又は制御シグナリングを使用して前記ＵＥのために１つ又は複数のアンライセンスアップリンクキャリアをスケジューリングするように制限してもよい。例えば、スケジューリングセット中の全てのアンライセンスキャリアが、時間周波数リソース割り当て、変調及び符号化方式等の同じスケジューリングパラメーターを使用する。この場合、基地局がスケジューリングを行う際に、スケジューリングされるキャリア番号及び１セットの共通のスケジューリングパラメーターのみをＵＥに送信すればよい。さらに例えば、スケジューリングセット中のいくつかのアンライセンスキャリアが同じスケジューリングパラメーターを使用し、セット中の別のいくつかのアンライセンスキャリアは別の同じスケジューリングパラメーターを使用する。この場合、基地局がスケジューリングを行う際に、スケジューリングされるキャリア番号及び対応する共通のスケジューリングパラメーターのみをＵＥに送信すればよい。この場合、スケジューリングパラメーターは全部で２セットある。基地局は、スケジューリングセット中のキャリアスケジューリングパラメーターを制限する際に、負荷状態、又は干渉状態、又はスケジューリング状態が類似しているキャリアが同じスケジューリングパラメーターを使用するように制限することを優先して考慮すべきである。このような方法によると、ダウンリンクシグナリングオーバーヘッドが大幅に節約される。
【００８８】
ステップ３：ＵＥが、基地局スケジューリンググラントを受信した後に、アップリンクキャリアスケジューリングセット中のアンライセンスキャリアに対してセンスを行い、１つ又は複数のキャリアをアップリンク送信キャリアとして選択する。選択されるアップリンク送信キャリア数は、ＵＥのアップリンクＣＡアグリゲーション能力以下である必要がある。
【００８９】
ＵＥが、基地局スケジューリンググラントを受信した後に、アップリンクキャリアスケジューリングセットＳｅｔＣ中の各キャリアに対してセンスを行い、Ｎ４個のアンライセンスキャリアが空いていることが発見される。
【００９０】
Ｎ４＝０であり、即ち、現在使用可能な空きキャリアがない場合に、ＵＥは、使用可能な空きキャリアが発見されるまで、ＬＢＴ又はＣＣＡを実行し続けることができる。又は、ＵＥは、ＬＢＴ又はＣＣＡを実行し続けることができ、予め設定のタイミングＴｔｉｍｅｒを超えても、依然として空きキャリアがセンスされていない場合に、ＵＥは、アップリンクスケジューリング要求を再開始でき、又はＲＡＣＨフローを再開始できる。
【００９１】
０＜Ｎ４≦ＣＵＬであり、即ち、空きキャリア数がＵＥのアップリンクアグリゲーション能力範囲内にある場合に、ＵＥは、このＮ４個のキャリアで、基地局が送信するアップリンクスケジューリンググラントパラメーターに従って、ＰＵＳＣＨ又は他の信号／チャネルを同時に送信できる。
【００９２】
Ｎ４＞ＣＵＬであり、即ち、空きキャリア数がＵＥのアップリンクアグリゲーション能力より大きい場合に、ＵＥは、その中のＣＵＬ個のキャリア（又はＣＵＬ個より少ないキャリア）をランダムで選択して、自身のアップリンク送信キャリアとすることができる。又は、ＵＥは、現在又は前のＲＲＭ測定結果、又はＲＳＳＩ測定結果のようなＣＳＩ測定結果に基づいて、その中の１つの又はいくつかの（ＣＵＬ以下である必要がある）アンライセンスキャリアをアップリンク送信キャリアとして選択する。
【００９３】
また、ＵＥのアップリンク送信は、アップ／ダウンリンクタイミング関係に従う必要があるので、ＵＥが空きキャリアが存在することをセンスしてからアップリンクデータ送信を行うまで遅延が存在し、この期間において、ＵＥは上記の選択した空きキャリアで予約信号を送信してチャネルをリザーブする必要がある。予約信号は、参照信号、制御チャネル、又は制御／報知情報であってもよい。
【００９４】
例２
基地局がスケジューリングしたアップリンクキャリア数は、ＵＥのアップリンクＣＡアグリゲーション能力以下であり、即ち、ＵＥがアグリゲーションしてＰＵＳＣＨを送信できる最大キャリア数以下である。また、基地局は、ＵＥがアップリンク送信に使用される可能のある候補アップリンクキャリアセットに対してセンスを行うように指示する。候補アップリンクキャリアセットは、ＵＥのアップリンクＣＡアグリゲーション能力より大きくてもよく、即ち、スケジューリングしたアップリンクキャリア数より大きくてもよい。
【００９５】
基地局は、スケジューリングセット中のキャリアに対応するスケジューリングパラメーターのみを送信するので、ＵＥが、スケジューリングキャリアが全部使用できないことを検出した場合に、ＵＥは、候補アップリンクキャリアセット中のスケジューリングキャリア以外のキャリアを検出するが、これらの候補キャリアでどのようにして時間周波数リソースの送信、又は変調符号化を行うかは分からない。したがって、基地局とＵＥとの間は、候補アップリンクキャリアセット中のキャリアのスケジューリングパラメーターを制限する必要があり、基地局とＵＥとの間が、情報インタラクションによってハンドシェイクを達成し、又は変更できない規定（Ｈａｒｄ  ｒｕｌｅｓ）によって合意されることを含む。
【００９６】
例えば、候補アップリンクキャリアセット中のキャリアと、アップリンクキャリアスケジューリングセット中のキャリアとが同じスケジューリングパラメーターを使用するように制限でき、又は、候補アップリンクキャリアセット中の１つ又は複数のキャリアと、アップリンクキャリアスケジューリングセット中の１つ又は複数のキャリアとが使用するスケジューリングパラメーターが同じであるように制限できる。
【００９７】
ＵＥは、基地局スケジューリンググラント、及び／又は候補アップリンクキャリアセットを受信した後に、スケジューリングセット又は候補アップリンクキャリアセット中のアンライセンスキャリアに対してセンスを行い、１つ又は複数のキャリアをアップリンク送信キャリアとして選択して同時に送信する。選択されたアップリンク送信キャリア数は、ＵＥのアップリンクＣＡアグリゲーション能力ＣＵＬ以下である必要があり、ＣＵＬは、ＵＥがアグリゲーションしてＰＵＳＣＨを送信できる最大キャリア数である。ここで、ＵＥは、優先してスケジューリングセット中のキャリアを使用してアップリンク送信を行う。特に、スケジューリングセット中の空きキャリア数がアップリンクＣＡ能力のＣＵＬと等しい場合に、候補キャリアセットの中に別の空きキャリアがあっても、ＵＥは、スケジューリングセット中のこのＣＵＬ個の空きキャリアのみを使用してＰＵＳＣＨを同時に送信する。
【００９８】
本例のアップリンクキャリア数方法は、下記のステップを含む。
【００９９】
ステップ１：基地局が、長時間のエネルギー検出又はキャリア感知に基づいて選択を行い、又は基地局が直接に１つ又は複数のアンライセンスキャリアをアップリンク送信候補キャリアとして設定する。
【０１００】
例えば、基地局が使用可能な最大アンライセンスキャリア数がＮ１である。このＮ１個のアンライセンスキャリアのセットがＳｅｔＡである。ＳｅｔＡ中の各キャリアの周波数帯域及び数は、国又は地域規則、又はオペレータ割り当て、又は機器サポート能力等の要因によって決定される。基地局は、長時間のエネルギー検出、キャリア感知に基づいて、１つ又は複数のアンライセンスキャリアをアップリンク（又はダウンリンク）送信候補キャリアセットＳｅｔＢとして選択する。ＳｅｔＢは、Ｎ２個のアンライセンスキャリアを含む。選択する要因は、ＳｅｔＡ中の各キャリアの負荷状態、干渉状態及び占有状態等を含んでもよい。ただし、Ｎ２≦Ｎ１である。
【０１０１】
又は、基地局は、長時間検出及び感知によらず、直接にＳｅｔＡ中のＮ１個のアンライセンスキャリアをすべてアップリンク送信候補キャリアとして設定してもよい。即ち、Ｎ２＝Ｎ１である。又は、基地局は、長時間検出および感知によらず、現在のキャリア状態に基づいて、直接にＳｅｔＡ中の一部のアンライセンスキャリアをアップリンク送信候補キャリアとして設定してもよい。即ち、Ｎ２＜Ｎ１である。
【０１０２】
ステップ２：アップリンク伝送要求があり、又はＵＥのアップリンクスケジューリング要求を受信した場合に、基地局は、スケジューリンググラントをＵＥに送信する。スケジューリングしたアップリンクキャリア数は、ＵＥのアップリンクＣＡアグリゲーション能力以下である必要がある。また、基地局は、ＵＥがアップリンク送信に使用される可能のある候補キャリアセットに対してセンスを行うように指示する。候補アップリンクキャリアセットは、ＵＥのアップリンクＣＡアグリゲーション能力より大きくてもよく、即ち、スケジューリングしたアップリンクキャリア数より大きくてもよい。
【０１０３】
ＵＥのダウンリンクＣＡ能力がＣＤＬであって、アップリンクＣＡ能力がＣＵＬであるものとする。また、基地局が送信するアップリンクキャリアスケジューリングセットがＳｅｔＣであるものとし（基地局は、スケジューリングセットＳｅｔＣを直接に送信せず、基地局は、アップリンクスケジューリンググラントを送信し、アップリンクスケジューリンググラント中のこれらのスケジューリングされたキャリアは、ＳｅｔＣを組むことができる）、ＳｅｔＣは、Ｎ３個のアンライセンスキャリアを含む。ただし、Ｎ３≦ＣＵＬである。このＮ３個のキャリアは、ＳｅｔＢ中のＮ２個のキャリアの中から選択できる。
【０１０４】
基地局が送信したＵＥがセンスを行うように指示したアップリンク送信に使用される可能のある候補アップリンクキャリアセットがＳｅｔＤであるものとすると、ＳｅｔＤは、ＳｅｔＢに等しくてもよい。つまり、ステップ１で生成したキャリアセットＳｅｔＢが、即ちここではＵＥに送信される候補アップリンクキャリアセットのＳｅｔＤである。
【０１０５】
又は、基地局は、また、現在の各キャリア負荷又は干渉等の状態に基づいて、セットＳｅｔＢの中で再度キャリア選別を行って、その中の１つ又は複数のキャリアを候補アップリンクキャリアセットＳｅｔＤとして選択してもよい。
【０１０６】
候補アップリンクキャリアセットＳｅｔＤは、アップリンクキャリアスケジューリングセットＳｅｔＣ中のキャリアを含んでもよい。又は、シグナリングオーバーヘッドを節約するために、候補アップリンクキャリアセットＳｅｔＤは、アップリンクキャリアスケジューリングセットＳｅｔＣ中のキャリアを含まずに、ＳｅｔＣセット以外のキャリアのみを含んでもよい。好ましくは、候補アップリンクキャリアセットＳｅｔＤは、アップリンクキャリアスケジューリングセットＳｅｔＣ中のキャリアを含んでもよい。この場合、ＳｅｔＤセット中のキャリア数は、一般的にＳｅｔＣセット中のキャリア数以上である。
【０１０７】
基地局は、アップリンクスケジューリンググラント及び候補アップリンクキャリアセットを同時に送信できる。また、両者の送信に一定の遅延が存在してもよく、アップリンクスケジューリンググラントは、後者の前に送信されてもよく、後者の後で送信されてもよい。
【０１０８】
基地局は、スケジューリングセットＳｅｔＣ中のキャリアに対応するスケジューリングパラメーターのみを送信するので、ＵＥがＳｅｔＣ中のキャリアがいずれも使用できなく、又は使用可能なキャリア数がＵＬ  ＣＡ能力より小さいことを検出した場合に、ＵＥは、ＳｅｔＤ中のＳｅｔＣ以外のキャリアを検出するが、これらの候補キャリアでどのようにして時間周波数リソースの送信、又は変調符号化を行うかは分からない。したがって、基地局とＵＥとの間は、候補アップリンクキャリアセット中のキャリアのスケジューリングパラメーターを制限する必要があり、基地局とＵＥとの間が、情報インタラクションによってハンドシェイクを達成し、又は変更できない規定によって合意されることを含む。
【０１０９】
例えば、候補アップリンクキャリアセットＳｅｔＤ中のキャリアと、アップリンクキャリアスケジューリングセットＳｅｔＣ中のキャリアとが同じスケジューリングパラメーターを使用するように制限でき、さらに例えば、候補アップリンクキャリアセットＳｅｔＤ中の１つ又は複数のキャリアと、アップリンクキャリアスケジューリングセットＳｅｔＣの１つ又は複数のキャリアとが使用するスケジューリングパラメーターが同じであるように制限できる。この場合、２つのセット中の１つ又は複数の同じスケジューリングパラメーターを使用するキャリア間の対応関係を明確にする必要がある。ＵＥがＳｅｔＤ中のキャリアを選択してアップリンク送信を行う場合には、当該キャリアがスケジューリングセットＳｅｔＣに含まれているか否かに関わらず、ＳｅｔＣ中のキャリアと同じスケジューリングパラメーターを選択してアップリンク送信を行う。アップリンクスケジューリングパラメーターは、時間周波数リソース割り当て、及び／又は周波数ホッピング、及び／又は変調及び符号化方式、及び／又は冗長バージョン、及び／又はＰＵＳＣＨをスケジューリングするＴＰＣコマンド等を含んでもよい。
【０１１０】
基地局は、２つのセット中のキャリアスケジューリングパラメーターを制限する際に、負荷状態、又は干渉状態、又はスケジューリング状態が類似しているキャリアが同じスケジューリングパラメーターを使用するように制限することを優先して考慮すべきである。このような方法によると、ダウンリンクシグナリングオーバーヘッドが大幅に節約される。スケジューリングセット中のすべてのキャリアが同じスケジューリングパラメーターを使用している場合に、基地局は、同じスケジューリングパラメーターを使用するキャリアマッピング関係をＵＥに送信する必要がない。スケジューリングセット中のキャリア間に異なるスケジューリングパラメーターが存在している場合に、基地局は、同じスケジューリングパラメーターを使用しているキャリアマッピング関係をＵＥに送信する必要がある。
【０１１１】
例えば、ＵＥのアップリンクＣＡ能力がＣＵＬ＝２であり、アップリンクキャリアスケジューリングセットＳｅｔＣ＝｛ＣＣ１，ＣＣ２｝であり、候補アップリンクキャリアセットＳｅｔＤ＝｛ＣＣ１，ＣＣ２，ＣＣ３，ＣＣ４，ＣＣ５｝である。ＵＥがＳｅｔＣにおいて２つのキャリアが使用できないことを検出した場合に、ＵＥは、ＳｅｔＤ中のＳｅｔＣ以外のキャリアＣＣ３、ＣＣ４、ＣＣ５を検出するが、これらの候補キャリアでどのようにして時間周波数リソースの送信、又は変調符号化を行うかは分からない。ＳｅｔＣ中の各キャリアが同じスケジューリングパラメーターを使用するように制限すると、ＳｅｔＤ中の各キャリアもＳｅｔＣ中のキャリアと同じスケジューリングパラメーターを使用し、ＳｅｔＣ中の各キャリアが異なるスケジューリングパラメーターを使用すると、基地局は、同じスケジューリングパラメーターを使用するキャリアマッピング関係をＵＥに送信する必要があり、例えば、下記のような送信方法で候補アップリンクキャリアセットＳｅｔＤ＝｛ＣＣ１：ＣＣ３，ＣＣ４；ＣＣ２：ＣＣ５｝を送信する。括弧内では、ＣＣ１及びＣＣ２が基地局によりスケジューリングされるキャリアであり、ＣＣ３及びＣＣ４はＣＣ１の候補キャリアであって、ＣＣ１と同じスケジューリングパラメーターを使用することを示している。ＣＣ５はＣＣ２の候補キャリアであり、ＣＣ２と同じスケジューリングパラメーターを使用する。
【０１１２】
さらに、基地局が同一のキャリアを使用して２つ又は２つより多くのＵＥが同時にアップリンク送信を行うようにスケジューリングする場合、２つのＵＥスケジューリングパラメーター中のリソース番号及び対応するリソースの位置は異なる。例えば、ＣＣ１をＵＥ１及びＵＥ２のアップリンク送信キャリアとしてスケジューリングする場合に、ＵＥ１及びＵＥ２のＣＣ１での時間周波数リソースは重ならない。しかし、基地局がＣＣ１、ＣＣ２をそれぞれＵＥ１及びＵＥ２のアップリンク送信キャリアとしてスケジューリングする場合には、ＣＣ１とＣＣ２とが異なるキャリアであるため、ＵＥ１及びＵＥ２は、異なるキャリア中の同じ又は部分的に重なる位置におけるリソースブロックを使用することができ、つまり、スケジューリングパラメーター中のリソースブロックパラメーター値が重なることがある。ＣＣ１及びＣＣ２が全部使用できない場合には、空きキャリアＣＣ３がこの２つのスケジューリングキャリアの候補キャリアであり、ＵＥ１及びＵＥ２がいずれもＣＣ３をアップリンク送信キャリアとする場合、ＵＥ１は、ＣＣ１のスケジューリングパラメーターを使用し、ＵＥ２は、ＣＣ２のスケジューリングパラメーターを使用し、この２つのスケジューリングパラメーターが同時にＣＣ３にマッピングされると、リソースが重なり、２つのＵＥがＣＣ３で送信を行うときに、送信が衝突することがある。この問題に対して、２つの解決方法があり、第１の方法は、２つのＵＥが競合するときにバックオフウィンドウを使用することであり、つまり、２つのＵＥは同時に送信することがなく、後で送信するＵＥは、リソースが占有されたことを発見すると送信を遅延する。第２の方法は、異なるスケジューリングキャリアのスケジューリングパラメーター、特に時間周波数リソースパラメーターが同じ及び重なる場合に、同一の候補キャリアがこれらの異なるスケジューリングキャリアのスケジューリングパラメーターを使用することを回避することである。
【０１１３】
ステップ３：ＵＥは、基地局スケジューリンググラント、及び／又は候補アップリンクキャリアセットを受信した後に、スケジューリングセット又は候補アップリンクキャリアセット中のアンライセンスキャリアに対してセンスを行い、１つ又は複数のキャリアをアップリンク送信キャリアとして選択する。選択されるアップリンク送信キャリア数は、ＵＥのアップリンクＣＡアグリゲーション能力以下である必要がある。
【０１１４】
ＵＥは、基地局スケジューリンググラント、及び／又は候補アップリンクキャリアセットを受信した後に、アップリンクキャリアスケジューリングセットＳｅｔＣ及び候補アップリンクキャリアセットＳｅｔＤ中の各キャリアに対してセンスを行い、Ｎ４個のアンライセンスキャリアが空いていることが発見される。
【０１１５】
Ｎ４＝０であり、即ち、現在２つのセット中にいずれも使用可能な空きキャリアがない場合に、ＵＥは、使用可能な空きキャリアが発見されるまで、ＬＢＴ又はＣＣＡを実行し続けることができる。又は、ＵＥは、ＬＢＴ又はＣＣＡを実行し続けることができ、予め設定のタイミングＴｔｉｍｅｒを超えても、依然として空きキャリアがセンスされていない場合に、ＵＥは、アップリンクスケジューリング要求を再開始でき、又はＲＡＣＨフローを再開始できる。
【０１１６】
Ｎ４＞０であり、且つ、アップリンクキャリアスケジューリングセットＳｅｔＣ中に使用可能な空きキャリアがある場合には、優先してＳｅｔＣ中のキャリアを使用してアップリンク送信を行う。特に、ＳｅｔＣ中の空きキャリア数がアップリンクＣＡ能力のＣＵＬに等しい場合には、ＳｅｔＤ中に空きキャリアが存在しても、ＵＥは、ＳｅｔＣ中のこのＣＵＬ個の空きキャリアのみを使用してＰＵＳＣＨを同時に送信する。特に、ＳｅｔＣ中の空きキャリア数がアップリンクＣＡ能力のＣＵＬより小さい場合に、ＵＥは、ＳｅｔＣ中の空きキャリアのみを使用してＰＵＳＣＨを同時に送信してもよく、又は、別にＳｅｔＤ中の空きキャリアもアグリゲーションしてＰＵＳＣＨを同時に送信してもよい。しかし、２つのセットにおいてＰＵＳＣＨを同時に送信するキャリア数はＣＵＬ以下である必要がある。
【０１１７】
Ｎ４＞０であり、且つ、アップリンクキャリアスケジューリングセットＳｅｔＣ中に使用可能な空きキャリアがない場合に、ＵＥは、ＳｅｔＤ中の空きキャリアを使用してＰＵＳＣＨを同時に送信できる。ＳｅｔＤ中のＰＵＳＣＨを同時に送信するキャリア数はＣＵＬ以下である必要がある。Ｎ４＞ＣＵＬであり、即ち、ＳｅｔＤ中の空きキャリア数がＵＥのアップリンクアグリゲーション能力より大きい場合に、ＵＥは、その中のＣＵＬ個のキャリア（又はＣＵＬ個より少ないキャリア）を自身のアップリンク送信キャリアとしてランダムで選択できる。又は、ＵＥは、現在又は前のＲＲＭ測定結果、又はＲＳＳＩ測定結果のようなＣＳＩ測定結果に基づいて、その中の１つの又はいくつかの（ＣＵＬ以下である必要がある）アンライセンスキャリアをアップリンク送信キャリアとして選択する。
【０１１８】
ＵＥが、非ＳｅｔＣセット中のキャリアを使用してアップリンク送信を行う場合には、ＳｅｔＣセット中の１つ、又は複数、又は全てのキャリアと同じスケジューリングパラメーターを使用する必要があり、例えば、時間周波数リソース割り当て、及び／又は周波数ホッピング、及び／又は変調及び符号化方式、及び／又は冗長バージョン、ＰＵＳＣＨをスケジューリングするＴＰＣコマンド等を含む。２つのセット中の１つ、複数又は全てが同じスケジューリングパラメーターを使用するキャリア間の対応関係は、基地局により明確され、又は基地局とＵＥとの間によって限定され、又はＵＥにより選択されるべきである。基地局側によりスケジューリングパラメーターとキャリアとの間の対応関係が明確される場合、基地局は、２つのセット中の同じスケジューリングパラメーターを使用しているキャリア間の対応関係をＵＥに送信する必要があり、基地局とＵＥとの間によって限定される場合（例えば、基準によって限定される）、例えば、２つのセット中のすべてのキャリアがいずれも同じスケジューリングパラメーターを使用している場合、基地局は、対応関係指示をＵＥに送信する必要がなく、ＵＥにより選択される場合、例えば、ＵＥが、候補アップリンクキャリアセットＳｅｔＤ中のＤ１キャリアを選択してアップリンク送信を行い、Ｄ１キャリアとＳｅｔＣ中のＣ１キャリアとが同じスケジューリングパラメーターを使用している場合、ＵＥは、Ｄ１キャリアとＣ１キャリアとの間の対応関係を基地局に送信する必要がある。
【０１１９】
また、ＵＥのアップリンク送信は、アップ／ダウンリンクタイミング関係に従う必要があるので、ＵＥが空きキャリアが存在することをセンスしてからアップリンクデータ送信を行うまで遅延が存在し、この期間において、ＵＥは上記の選択した空きキャリア上で予約信号を送信してチャネルをリザーブする必要がある。予約信号は、アップリンク参照信号、アップリンク制御チャネル、又は制御／報知情報であってもよい。
【０１２０】
例３
基地局がスケジューリングしたアップリンクキャリア数が、ＵＥのアップリンクＣＡ能力以下であり、即ち、ＵＥがアグリゲーションしてＰＵＳＣＨを送信できる最大キャリア数以下である。
【０１２１】
ＵＥは、基地局が送信したスケジューリンググラントを受信した後に、基地局がスケジューリングした各アップリンクキャリアに対してセンスを行う。スケジューリングセット中の使用可能なキャリア数がＵＥのアップリンクＣＡ能力より小さい場合に、ＵＥは、他の非スケジューリングキャリアに対してセンスを行い、空きキャリアがセンスされた場合に、ＵＥは、センス結果と、空きキャリアが使用しているスケジューリングキャリアパラメーターの状況とを基地局に送信する。
【０１２２】
ＵＥのアップリンク送信は、アップ／ダウンリンクタイミング関係に従う必要があるので、ＵＥが空きキャリアが存在することをセンスしてからアップリンクデータ送信を行うまで遅延が存在し、この期間において、ＵＥは、上記の選択した空きキャリアで予約信号／チャネルを送信してチャネルをリザーブする必要がある。予約信号／チャネルは、アップリンク参照信号、又はアップリンク制御チャネル、又は制御／報知情報であってもよい。ＵＥの非スケジューリングセットキャリアに対するセンス結果及び使用しているスケジューリングキャリアパラメーターの状況は、この期間の予約信号を介して基地局に送信されることができ、例えば、情報を制御することで上記情報をフィードバックすることができる。ＵＥは、また、ライセンスキャリア又はＰＣｅｌｌを介して上記情報をフィードバックすることができる。
【０１２３】
ＵＥは、センス又はキャリア選択結果に基づいて、その中のｎ個のキャリアを選択して送信を行う。ｎ≦ＣＵＬであり、ＣＵＬは、ＵＥがアグリゲーションしてＰＵＳＣＨを送信できる最大キャリア数である。
【０１２４】
図３は、本発明の実施例のネットワーク側ネットワークエレメントの構成を示す図であり、図３に示すように、本発明の実施例のネットワーク側ネットワークエレメントは、スケジューリングユニット３０及び通知ユニット３１を備え、スケジューリングユニット３０は、ユーザ機器ＵＥのためにアンライセンスアップリンクキャリアをスケジューリングするように構成され、ここで、ネットワーク側ネットワークエレメントがユーザ機器ＵＥのためにスケジューリングするアンライセンスアップリンクキャリア数の能力は、前記ＵＥのアップリンクキャリアアグリゲーション能力がサポートするキャリア数より大きく、又は、ネットワーク側ネットワークエレメントがＵＥのためにスケジューリングするアンライセンスアップリンクキャリア数の能力は、前記ＵＥのアップリンクキャリアアグリゲーション能力がサポートするキャリア数以下であり、通知ユニット３１は、スケジューリングされたアンライセンスアップリンクキャリアのスケジューリングパラメーターを前記ＵＥに通知するように構成される。
【０１２５】
本発明の実施例では、ネットワーク側ネットワークエレメントがＵＥのためにスケジューリングするアンライセンスアップリンクキャリア数の能力が、前記ＵＥのアップリンクキャリアアグリゲーション能力がサポートするキャリア数以下である場合に、前記ＵＥが、優先してスケジューリングされたアンライセンスアップリンクキャリアの中からアップリンクデータ伝送に使用可能なキャリアを選択し、選択されたアップリンクキャリアが前記ＵＥのアップリンクキャリアアグリゲーション能力がサポートするキャリア数より小さい場合に、前記候補アップリンクキャリアセットからアップリンクデータ伝送に使用可能なキャリアを選択するように、前記通知ユニット３１は、さらに、前記ＵＥにアップリンクデータ伝送に使用可能な候補アップリンクキャリアセットを通知し、前記候補アップリンクキャリアセット中のキャリアのスケジューリングパラメーターを前記ＵＥに通知し、又は、前記ＵＥのためにスケジューリングしたアンライセンスアップリンクキャリアと同じスケジューリングパラメーターを使用した前記候補アップリンクキャリアセット中のキャリアと当該前記ＵＥのためにスケジューリングしたアンライセンスアップリンクキャリアとの間の対応関係を前記ＵＥに通知するように構成され、ここで、前記候補アップリンクキャリアセット中のキャリア数は、前記ＵＥのアップリンクキャリアアグリゲーション能力がサポートするキャリア数より大きく、又は、それ以下である。
【０１２６】
本発明の実施例では、前記ネットワーク側は、１つの制御シグナリング又はスケジューリングシグナリングを使用して、前記ＵＥのために１つ又は複数のアンライセンスアップリンクキャリアをスケジューリングし、前記候補アップリンクキャリアセット中のキャリアのスケジューリングパラメーターと、スケジューリングされたアンライセンスアップリンクキャリアのスケジューリングパラメーターとは同じであり、又は、前記候補アップリンクキャリアセット中の１つ又は複数のキャリアのスケジューリングパラメーターと、スケジューリングされた１つ又は複数のアンライセンスアップリンクキャリアのスケジューリングパラメーターとは同じである。
【０１２７】
図３に示すネットワーク側ネットワークエレメントに基づき、本発明の実施例のネットワーク側ネットワークエレメントは、受信ユニット（図示せず）及び指示ユニット（図示せず）をさらに備え、受信ユニットは、ネットワーク側ネットワークエレメントがＵＥのためにスケジューリングするアンライセンスアップリンクキャリア数の能力が、前記ＵＥのアップリンクキャリアアグリゲーション能力がサポートするキャリア数以下であり、且つ、スケジューリングされたアンライセンスアップリンクキャリアの中の使用可能なキャリア数が前記ＵＥのアップリンクキャリアアグリゲーション能力より小さい場合に、前記ＵＥにより報告された前記ＵＥがセンスしたスケジューリングされていない他の空きキャリアのスケジューリングパラメーターを受信するように構成され、指示ユニットは、前記ＵＥが前記空きキャリアの中からアップリンクデータ伝送に使用可能なキャリアを選択するように指示するように構成される。
【０１２８】
本発明の実施例では、前記スケジューリングパラメーターは、時間周波数リソース割り当てパラメーター、周波数ホッピング、変調及び符号化方式、冗長バージョン、物理アップリンク共有チャネルＰＵＳＣＨの送信電力制御ＴＰＣコマンドのうちの少なくとも１つのパラメーターを含む。
【０１２９】
本発明の実施例では、ネットワーク側ネットワークエレメントは、基地局、基地局コントローラ、移動管理ユニット（ＭＭＥ：Ｍｏｂｉｌｉｔｙ  Ｍａｎａｇｅｍｅｎｔ  Ｅｎｔｉｔｙ）等のネットワーク側機器を含む。
【０１３０】
当業者であれば、図３に示すネットワーク側ネットワークエレメント中の各処理ユニットの実現機能を、前述したアップリンクキャリア選択方法の各実施例に関する説明を参照することにより理解できることを理解すべきである。図３に示すネットワーク側ネットワークエレメント中の各ユニットの機能は、プロセッサーにおいて動作されるプログラムによって実現されてもよく、具体的な論理回路によって実現されてもよい。
【０１３１】
図４は、本発明の実施例のユーザ機器の構成を示す図であり、図４に示すように、本発明の実施例のユーザ機器は、受信ユニット４０及び選択ユニット４１を備え、受信ユニット４０は、ネットワーク側が前記ユーザ機器のためにスケジューリングしたアンライセンスアップリンクキャリアのスケジューリングパラメーターを受信するように構成され、選択ユニット４１は、通知されたアンライセンスアップリンクキャリアの中からアップリンクデータ伝送に使用可能なキャリアを選択するように構成され、ここで、ネットワーク側がユーザ機器ＵＥのためにスケジューリングするアンライセンスアップリンクキャリア数の能力が、前記ＵＥのアップリンクキャリアアグリゲーション能力がサポートするキャリア数より大きく、又は、ネットワーク側がＵＥのためにスケジューリングするアンライセンスアップリンクキャリア数の能力が、前記ＵＥのアップリンクキャリアアグリゲーション能力がサポートするキャリア数以下である。
【０１３２】
本発明の実施例では、ネットワーク側がユーザ機器ＵＥのためにスケジューリングするアンライセンスアップリンクキャリア数の能力が、前記ＵＥのアップリンクキャリアアグリゲーション能力がサポートするキャリア数より大きい場合に、前記選択ユニット４１は、通知されたアンライセンスアップリンクキャリアの中からアップリンクデータ伝送に使用可能なキャリア数が前記ユーザ機器のアップリンクキャリアアグリゲーション能力がサポートするキャリア数以下であるものを選択する。
【０１３３】
本発明の実施例では、ネットワーク側がＵＥのためにスケジューリングするアンライセンスアップリンクキャリア数の能力が、前記ＵＥのアップリンクキャリアアグリゲーション能力がサポートするキャリア数以下である場合に、前記受信ユニット４０は、さらに、前記ネットワーク側が送信したアップリンクデータ伝送に使用可能な候補アップリンクキャリアセットと、前記候補アップリンクキャリアセット中のキャリアのスケジューリングパラメーターとを受信するように構成され、それに応じて、前記選択ユニット４１は、さらに、スケジューリングパラメーターに基づいて、優先してスケジューリングされたアンライセンスアップリンクキャリアの中からアップリンクデータ伝送に使用可能なキャリアを選択し、選択されたアップリンクキャリアが前記ＵＥのアップリンクキャリアアグリゲーション能力がサポートするキャリア数より小さい場合に、前記候補アップリンクキャリアセットからアップリンクデータ伝送に使用可能なキャリアを選択するように構成され、ここで、前記候補アップリンクキャリアセット中のキャリア数は、前記ＵＥのアップリンクキャリアアグリゲーション能力がサポートするキャリア数より大きく、又は、それ以下である。
【０１３４】
本発明の実施例では、前記ネットワーク側は、１つの制御シグナリング又はスケジューリングシグナリングを使用して、前記ＵＥのために１つ又は複数のアンライセンスアップリンクキャリアをスケジューリングし、前記候補アップリンクキャリアセット中のキャリアのスケジューリングパラメーターと、スケジューリングされたアンライセンスアップリンクキャリアのスケジューリングパラメーターとは同じであり、又は、前記候補アップリンクキャリアセット中の１つ又は複数のキャリアのスケジューリングパラメーターと、スケジューリングされた１つ又は複数のアンライセンスアップリンクキャリアのスケジューリングパラメーターとは同じである。
【０１３５】
図４に示すユーザ機器に基づき、本発明の実施例のユーザ機器は、センスユニット（図示せず）及び送信ユニット（図示せず）をさらに備え、センスユニットは、ネットワーク側がＵＥのためにスケジューリングするアンライセンスアップリンクキャリア数の能力が、前記ＵＥのアップリンクキャリアアグリゲーション能力がサポートするキャリア数以下であり、且つ、スケジューリングされたアンライセンスアップリンクキャリアのうちの使用可能なキャリア数が、前記ＵＥのアップリンクキャリアアグリゲーション能力より小さい場合に、スケジューリングされていない他の空きキャリアに対してセンスを行うように構成され、送信ユニットは、センスされた空きキャリアの情報と、前記空きキャリアのスケジューリングパラメーターとを前記ネットワーク側に送信するように構成される。
【０１３６】
本発明の実施例では、前記センスユニットにより前記空きキャリアがセンスされてから前記ユーザ機器が空きキャリアを使用してアップリンクデータ伝送を行う前に、前記送信ユニットは、さらに、前記空きキャリアで前記ネットワーク側に予約信号又は予約チャネルを送信するように構成され、前記予約信号又は予約チャネルは、アップリンク参照信号、アップリンク制御チャネル、制御情報、報知情報のうちの少なくとも１つの情報を含む。
【０１３７】
本発明の実施例では、前記送信ユニットは、ライセンスキャリア又はマスタサービングセルを介して、前記ネットワーク側に前記空きキャリアの情報と、前記空きキャリアのスケジューリングパラメーターの情報と、前記予約信号又は予約チャネルとを送信するように構成される。
【０１３８】
本発明の実施例では、前記スケジューリングパラメーターは、時間周波数リソース割り当てパラメーター、周波数ホッピング、変調及び符号化方式、冗長バージョン、物理アップリンク共有チャネルＰＵＳＣＨの送信電力制御ＴＰＣコマンドのうちの少なくとも１つのパラメーターを含む。
【０１３９】
本発明の実施例では、ユーザ機器は、携帯電話等の機器を含む。
【０１４０】
当業者であれば、図４に示すユーザ機器中の各処理ユニットの実現機能を、前述したアップリンクキャリア選択方法の各実施例に関する説明を参照することにより理解できることを理解すべきである。図４に示すユーザ機器中の各ユニットの機能は、プロセッサーにおいて動作されるプログラムによって実現されてもよく、具体的な論理回路によって実現されてもよい。
【０１４１】
本発明によれば、コンピュータープログラムが記憶された記憶媒体がさらに提供され、前記コンピュータープログラムは、前述した各実施例のアップリンクキャリア選択方法を実行するように構成される。
【０１４２】
本発明で説明した技術手段は、矛盾しない場合、任意に組み合わせることができる。
【０１４３】
本発明に提供されたいくつかの実施例で、公開された方法及びスマート機器は、他の方法によって実現されることができることが理解されるべきである。上述した機器の実施例は単なる例示であり、例えば、前記ユニットの分割は一種の論理機能の分割にすぎず、実際に実施するときには他の分割方法を有してもよく、例えば、複数のユニット又はコンポーネントを組み合わせたり、又は別のシステムに組み込まれてもよく、又は、一部の特徴は無視してもよく、又は実行しなくてもよい。また、表示又は検討している各構成要素間の結合、直接的な結合、又は通信接続は、一部のインターフェース、機器又はユニットの間接的な結合又は通信接続であってもよく、又は、電気的、機械的又は他の形式によって接続されてもよい。
【０１４４】
上記の分離部材として説明されるユニットは、物理的に離間したものであってもよいが、物理的に離間したものでなくてもよく、ユニットとして表示される部材は、物理的ユニットであってもよいが、物理的ユニットでなくてもよく、即ち、１つの場所に位置してもよいが、複数のネットワークユニット上に分散されてもよく、実際の要求に応じて、その中の一部又は全部のユニットを選んで本実施形態の目的を実現することができる。
【０１４５】
また、本発明の実施例における各機能ユニットは、１つの第２の処理ユニットに集積されてもよく、各ユニットが別個で１つのユニットとされてもよく、或いは、２つ以上のユニットが１つのユニットに集積されてもよく、上記の集積されたユニットは、ハードウェアによって実現されてもよく、ハードウェアとソフトウェアの機能ユニットを組み合わせたことによって実現されてもよい。
【０１４６】
以上は、本発明の具体的な実施形態にすぎず、本発明の範囲はこれらに限定されない。この技術分野の当業者であれば、いずれも本発明に提示された技術範囲内で、変更又は置き換えを行うことを容易に想到し得るものがいずれも本発明の範囲に含まれる。
【産業上の利用可能性】
【０１４７】
本発明によれば、ネットワーク側がＵＥのためにスケジューリングするアンライセンスアップリンクキャリア数の能力が、前記ＵＥのアップリンクキャリアアグリゲーション能力がサポートするキャリア数以下である場合、ＵＥがスケジューリングされたアンライセンスアップリンクキャリアの中からアップリンクデータ伝送に使用可能なキャリアを選択できないとき、ＵＥは、ネットワーク側から通知された候補キャリアセットの中からアップリンクデータ伝送に使用可能なキャリアを選択し、又は、現在センスしている空きキャリアの中からアップリンクデータ伝送に使用可能なキャリアを選択することによって、ＵＥのアップリンクデータ送信効率を向上させて、ＵＥができるだけ多くのアップリンクキャリアを選択してアップリンクデータ伝送を行うようにさせる。
【図１】
0006579559.tif 000002
【図２】
0006579559.tif 000003
【図３】
0006579559.tif 000004
【図４】
0006579559.tif 000005